(57)【要約】    【課題】  電解合成により、プールや銭湯等の水に含まれる大腸菌等の菌類の滅菌を行う滅菌消毒装置を提供することである。    【解決手段】  被処理水が消毒処理される滞留槽（１２）を備え、滞留槽の内部に、陽極となるアノード部（１４）と陰極となるカソード部（１６）がそれぞれ配置されており、アノード部とカソード部に所定の電圧を印加することにより、被処理水を電解合成するように構成されていることを特徴とする滅菌消毒装置（１０）が提供される。【選択図】  図１
2010005522.tif 000002
【特許請求の範囲】
【請求項１】
被処理水を電解合成することにより、被処理水中に次亜塩素酸と次亜塩素酸イオンが存在する状態を形成するように構成されていることを特徴とする滅菌消毒装置。
【請求項２】
被処理水が消毒処理される滞留槽を備え、
前記滞留槽の内部に、陽極となるアノード部と陰極となるカソード部がそれぞれ配置されており、前記アノード部と前記カソード部に所定の電圧を印加することにより、被処理水を電解合成するように構成されていることを特徴とする滅菌消毒装置。
【請求項３】
前記アノード部が導電性非鉄金属で形成され、前記カソード部が白金チタンで形成されていることを特徴とする請求項２に記載された滅菌消毒装置。
【発明の詳細な説明】
【技術分野】
【０００１】
本発明は一般に、滅菌消毒装置に関する。より詳細には、本発明は、電解合成により、プールや銭湯等の水に含まれる大腸菌等の菌類の滅菌を行う滅菌消毒装置に関する。
【背景技術】
【０００２】
従来、プールや銭湯等において使用される水の衛生管理では主として、次亜塩素酸ソーダ（ＮａＣｌＯ）を水に滴下することによって、病原菌を含む雑菌類の消毒が行われている。しかし、銭湯等においては、滴下直後の雑菌数は衛生上の基準値以下になるが、１〜２時間程度経過した後には基準値を大きく上回る程に雑菌数が増加しているのが通常であり、水の雑菌数は、滴下による減少と使用に起因する増加を繰り返す状態を呈している。また、プールの衛生管理においては、残留塩素濃度が０．４ｍｇ／リットル〜０．８ｍｇ／リットルの範囲に納まるように次亜塩素酸ソーダが投入されるが、水中の塩素により眼球に悪影響が及ぼされたり、毛髪が塩素に侵されて茶色に変色したりし、その結果、肌荒れ等が生じたり、特に学校で毛髪の変色が生ずると、生徒が髪を染めている等の誤解を受ける等の事例も報告されている。
【発明の開示】
【発明が解決しようとする課題】
【０００３】
したがって、所要の滅菌効果を維持しつつ、眼球への悪影響や毛髪の変色等の弊害を回避することができる滅菌消毒装置に対する強い要請がある。
【０００４】
本発明は、このような状況に鑑みて開発されたものであって、電解合成により、プールや銭湯等の水に含まれる大腸菌等の菌類の滅菌を行う滅菌消毒装置を提供することを目的としている。
【課題を解決するための手段】
【０００５】
本発明の滅菌消毒装置は、白金チタンを基本電極とし、１２Ｖ〜６０Ｖ程度の範囲で直流電圧を印加することにより、滅菌処理しようとする水（以下「被処理水」という）の電解合成を行い、目的を達成しようとするものである。より詳細には、アノード（陽極）側をアルミニウム製の電極とし、カソード（陰極）側を白金チタン製の電極とすることにより、被処理水の電解合成を行い、滅菌消毒しようとするものである。
【０００６】
本発明の請求項１に記載された滅菌消毒装置は、被処理水を電解合成することにより、被処理水中に次亜塩素酸と次亜塩素酸イオンが存在する状態を形成するように構成されていることを特徴とするものである。
【０００７】
本発明の請求項２に記載された滅菌消毒装置は、被処理水が消毒処理される滞留槽を備え、前記滞留槽の内部に、陽極となるアノード部と陰極となるカソード部がそれぞれ配置されており、前記アノード部と前記カソード部に所定の電圧を印加することにより、被処理水を電解合成するように構成されていることを特徴とするものである。
【０００８】
本発明の請求項３に記載された滅菌消毒装置は、前記請求項２の装置において、前記アノード部が導電性非鉄金属で形成され、前記カソード部が白金チタンで形成されていることを特徴とするものである。
【発明の効果】
【０００９】
本発明によれば、構造が比較的簡単な装置を用いて、プールや銭湯等の水に含まれる大腸菌等の菌類の滅菌を効率的に行うことができる。
【発明を実施するための最良の形態】
【００１０】
次に図面を参照して、本発明の好ましい実施の形態に係る滅菌消毒装置について詳細に説明する。図１は、本発明の好ましい実施の形態に係る滅菌消毒装置の全体を概略的に示した平面図、図２は、図１の線２−２に沿って見た断面図である。図１および図２において全体として参照符号１０で示される本発明の好ましい実施の形態に係る滅菌消毒装置は、被処理水が消毒処理される滞留槽１２を備えている。
【００１１】
滞留槽１２の内部には、対向した内壁面に、陽極となるアノード部１４と陰極となるカソード部１６がそれぞれ配置されている。アノード部１４は、アルミニウム等の導電性非鉄金属で形成され、カソード部１６は、白金／チタン（チタン電極に白金めっきを施したもの）で形成されている。
【００１２】
滅菌消毒装置１０は又、制御ボックス１８を備えている。なお、図１において、参照符号１８ａ、１８ｂ、１８ｃ、１８ｄ、１８ｅ、１８ｆは、電源ケーブル、メインスイッチ、通電表示ランプ、電圧調整ダイアル、電流計、電圧計をそれぞれ示している。電源ケーブル１８ａを電源（図示せず）に接続することにより、アノード部１４とカソード部１６に所定の電圧が印加されるようになっている。
【００１３】
滅菌消毒装置１０は更に、滞留槽１２の一端に接続され、滞留槽１２に被処理水を流入させるための流入管２０と、滞留槽１２の他端に接続され、処理済み水を滞留槽１２から流出させるための流出管２２とを備えている。
【００１４】
以上のように構成された滅菌消毒装置１０の作動について説明する。まず被処理水を流入管２０から滞留槽１２内に流入させ、電源ケーブル１８ａを電源に接続して、アノード部１４とカソード部１６に電圧を印加する。その際、電圧調整ダイアル１８ｄによって、１２Ｖ〜６０Ｖ程度となるように電圧を調整する。すると、被処理水中の溶融塩分から塩素（Ｃｌ2 ）がアノード部１４に発生し、電解合成による競争反応として酸素（Ｏ2 ）が発生して、Ｃｌ2 ＋２ｅ- となる。そして、アノード側に発生した塩素（Ｃｌ2 ）と水（Ｈ2 Ｏ）との平衡反応により、次亜塩素酸（ＨＣｌＯ）と塩素イオン（Ｃｌ- ）が生成され、次亜塩素酸（ＨＣｌＯ）は更に、水素イオン（Ｈ+ ）と次亜塩素酸イオン（ＣｌＯ-
）に分解され、被処理水中に次亜塩素酸（ＨＣｌＯ）と次亜塩素酸イオン（ＣｌＯ- ）が存在する状態が形成される。さらに、ＰＨが５〜６．５の範囲においては、有効塩素の約９３％〜約９７％が次亜塩素酸イオン（ＣｌＯ- ）として発生することとなり、これにより、大腸菌等の病原菌に対して、滅菌による消毒効果を誘発させることができる。
【００１５】
なお、被処理水は、滞留槽１２内を約５秒〜約５分で通過するように流速を調整するのが好ましい。
【００１６】
また、被処理水を滞留槽１２に流入させる流入管２０の管径を大きくすることにより被処理水の流速を遅くし、その結果、電解合成時間を長くすることを可能とし、滅菌処理効率を向上させるようにしてもよい。
【００１７】
滅菌消毒装置１０の効果を検証するため、本発明の装置を用いた場合と用いなかった場合の効果を比較した。すなわち、使用後の風呂水を検体として１０００ｃｃ採取し、滅菌消毒装置１０を用いて電圧１６Ｖで５分〜１５分滅菌消毒を行った結果、ＰＨ値が当初の５から上昇し、次亜塩素酸と次亜塩素酸イオンとが存在する状態が形成され、水質検査結果が、「不検出」との結果が得られた（図４参照）。なお、比較例として、同じ風呂水１０００ｃｃについて水質検査を行った結果、大腸菌が検出された（図５参照）。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、前記実施の形態において、１基の滞留槽１２が示されているが、複数の滞留槽１２を直列配置、又は並列配置することにより、処理効率の一層の向上を図ることができる。
【図面の簡単な説明】
【００２０】
【図１】本発明の好ましい実施の形態に係る滅菌消毒装置の全体を概略的に示した平面図である。
【図２】図１の線２−２に沿って見た断面図である。
【図３】図２の線３−３に沿って見た断面図である。
【図４】本発明の装置を利用して滅菌消毒した水の検査結果を示したものである。
【図５】本発明の装置を利用しない場合の水の検査結果を示したものである。
【符号の説明】
【００２１】
１０  滅菌消毒装置
１２  滞留槽
１４  アノード部
１６  カソード部
１８  制御ボックス
２０  流入管
２４  流出管
【図１】
2010005522.tif 000003
【図２】
2010005522.tif 000004
【図３】
2010005522.tif 000005
【図４】
2010005522.tif 000006
【図５】
2010005522.tif 000007